(57)【特許請求の範囲】
【請求項１】
回転子と、上記回転子の外周に配設された固定子とを備えた回転電機において、
上記回転子は、
上記回転子の外周面の軸方向に形成され、かつ、上記回転子の円周方向に間隔を隔てて複数形成されたコイルスロットと、
上記各コイルスロット底部に上記回転子の軸方向にそれぞれ開口するように形成されたサブスロットと、
上記各コイルスロット内の上記各サブスロット上にそれぞれ複数段積み重ねられた巻線導体と、
上記複数段積み重ねられた各巻線導体を上記コイルスロット内にそれぞれ固定するとともに上記回転子の半径方向に穴部を形成したウエッジとを有し、
上記複数段積み重ねられた各巻線導体には、上記サブスロットから上記ウエッジ方向へ冷却ガスを流す通風流路が貫通し、該通風流路は上記巻線導体の長手方向を長手として上記巻線導体の幅方向に２列で、かつ、
当該２列通風流路が上記巻線導体の長手方向に間隔を隔てて複数位置に同一形状にて形成され、かつ、
上記通風流路の長手方向の幅寸法をＷ１、上記通風流路の一端から上記通風流路の上記巻線導体の長手方向に隣接する他の上記通風流路の一端までの幅寸法をＷ２としたとき、
０．３≦Ｗ１／Ｗ２≦０．７  ・・・（式１）
上記巻線導体の幅寸法をＷ３、１つの上記通風流路の幅寸法をＷ４としたとき、
０．０２５≦Ｗ４／Ｗ３≦０．０８  ・・・（式２）
の関係がそれぞれ成り立つことを特徴とする回転電機。
【請求項２】
請求項１の回転電機において、
０．０２５≦Ｗ４／Ｗ３≦０．０５  ・・・（式３）
の関係が成り立つことを特徴とする回転電機。
【発明の詳細な説明】
【技術分野】
【０００１】
この発明は、冷却効果を十分に発揮することができる回転電機に関するものである。
【背景技術】
【０００２】
従来の回転電機は、回転子鉄心に設けられた複数のスロットに収納され、板状の導体が絶縁物を介して複数段積み重ねられた巻線導体を有し、複数の導体それぞれおよび複数の絶縁物それぞれには冷却ガスが回転子鉄心の径方向に流れつつ回転子鉄心の軸方向に流れる複数の通風路を形成するための貫通孔が複数穿設されてなる回転子巻線を備えた回転電機において、複数の貫通孔それぞれを導体の幅方向に対して複数列構成し、導体の幅寸法をＷＣ、複数列構成の貫通孔又は通風路の導体の幅方向に対する幅寸法の合計をＷＨとしたとき、
０.２≦ＷＨ／ＷＣ≦０.７
の関係が成立するように、複数列構成の貫通孔又は通風路の通風面積を設定したものである（例えば、特許文献１参照）。
【先行技術文献】
【特許文献】
【０００３】
【特許文献１】特開２０００−１３９０５０号公報
【発明の概要】
【発明が解決しようとする課題】
【０００４】
従来の回転電機は、導体の幅寸法をＷＣ、複数列構成の貫通孔又は通風路の導体の幅方向に対する幅寸法の合計をＷＨとしたとき、０.２≦ＷＨ／ＷＣ≦０.７が成り立つように形成されている。このため、例えば、２列にて貫通孔が形成される場合であれば、１つの貫通孔は、０.１≦ＷＨ／ＷＣ≦０.３５が成り立つように形成されていると考えられる。しかしながら、このような条件が成り立つように形成しても冷却効果が十分に発揮されていないという問題点があった。【０００５】
この発明は上記のような課題を解決するためになされたものであり、冷却効果を十分に発揮することができる回転電機を提供することを目的とする。
【課題を解決するための手段】
【０００６】
この発明の回転電機は、
上記回転子は、
上記回転子の外周面の軸方向に形成され、かつ、上記回転子の円周方向に間隔を隔てて複数形成されたコイルスロットと、
上記各コイルスロット底部に上記回転子の軸方向にそれぞれ開口するように形成されたサブスロットと、
上記各コイルスロット内の上記各サブスロット上にそれぞれ複数段積み重ねられた巻線導体と、
上記複数段積み重ねられた各巻線導体を上記コイルスロット内にそれぞれ固定するとともに上記回転子の半径方向に穴部を形成したウエッジとを有し、
上記複数段積み重ねられた各巻線導体には、上記サブスロットから上記ウエッジ方向へ冷却ガスを流す通風流路が貫通し、該通風流路は上記巻線導体の長手方向を長手として上記巻線導体の幅方向に２列で、かつ、
当該２列通風流路が上記巻線導体の長手方向に間隔を隔てて複数位置に同一形状にて形成され、かつ、
上記通風流路の長手方向の幅寸法をＷ１、上記通風流路の一端から上記通風流路の上記巻線導体の長手方向に隣接する他の上記通風流路の一端までの幅寸法をＷ２としたとき、
０．３≦Ｗ１／Ｗ２≦０．７  ・・・（式１）
上記巻線導体の幅寸法をＷ３、１つの上記通風流路の幅寸法をＷ４としたとき、
０．０２５≦Ｗ４／Ｗ３≦０．０８  ・・・（式２）
の関係がそれぞれ成り立つように形成されている。
【発明の効果】
【０００７】
この発明の回転電機は、上記に示したように構成されているため、冷却効果を十分に発揮することができる。
【図面の簡単な説明】
【０００８】
【図１】この発明の実施の形態１の回転電機の構成を示す図である。
【図２】図１に示した回転電機の部分拡大図である。
【図３】図２に示した回転電機の回転子コイルの部分拡大図である。
【図４】図１に示した回転電機の特性を説明するための図である。
【発明を実施するための形態】
【０００９】
実施の形態１．
以下、本願発明の実施の形態について説明する。図１はこの発明の実施の形態１における回転電機の構成の断面を示す図、図２は図１に示した回転電機の回転子の詳細を示した部分拡大斜視図、図３は図２に示した回転電機の回転子のコイルの詳細を示した部分上面図、図４は図１に示した回転電機における「通風流路２２ａの幅寸法Ｗ４／回転子コイル２２の幅寸法Ｗ３」と、温度上昇との関係を示した図である。
【００１０】
図において、回転電機１は、回転子２と、固定子３と、冷却器４と、回転軸６とを備えている。固定子３は、円筒状に形成されており、回転子２の外周に配設されている。回転子２は、回転軸６の回転により回転する。冷却器４は、回転電機１を冷却した冷却ガス５を冷却して、再度、回転電機１内に戻すものである。また、回転子２は、コイルスロット２０と、サブスロット２１と、巻線導体としての回転子コイル２２と、ウエッジ２３とを備えている。そして、コイルスロット２０は、回転子２の外周面の軸方向Ａに形成され、かつ、回転子２の円周方向Ｂに間隔を隔てて複数個形成されている。
【００１１】
そして、サブスロット２１は、各コイルスロット２０の底部２０ａに形成され、かつ、回転子２の軸方向Ａにそれぞれ開口するように形成されている。回転子コイル２２は、各コイルスロット２０内の各サブスロット２１上にそれぞれ収納して形成されている。そして、ウエッジ２３は、遠心力のかかる各回転子コイル２２を各コイルスロット２０内にそれぞれ固定保持させるために形成されている。そして、ウエッジ２３は、回転子２の半径方向Ｃに穴部２３ａを備えている。
【００１２】
そして、各回転子コイル２２には、複数の通風流路２２ａがそれぞれ形成されている。これら通風流路２２ａは、サブスロット２１からウエッジ２３の方向へ冷却ガス５が流れるように、回転子コイル２２を回転子２の半径方向Ｃに貫通して形成されている。冷却ガス５は、サブスロット２１を通過することで軸方向に流れつつ回転子コイル２２の半径方向に設けた通風流路２２ａを通過しウエッジ２３の孔部２３ａを流れている。これにより、冷却ガス５は回転子２を冷却している。
【００１３】  通風流路２２ａは、回転子コイル２２の幅方向Ｄに２列に形成されている。そして、２列通風流路２２ａが、回転子コイル２２の長手方向Ｅ（この長手方向Ｅは、回転子２の軸方向Ａと同一方向である）に間隔を隔てて複数位置に同一形状にて形成されている。さらに、通風流路２２ａの回転子コイル２２の長手方向Ｅの幅寸法をＷ１とする。そして、通風流路２２ａの一端から通風流路２２ａの回転子コイル２２の長手方向Ｅに隣接する他通風流路２２ａの一端までの幅寸法をＷ２とする。そして、０．３≦Ｗ１／Ｗ２≦０．７  ・・・（式１）の関係が成り立つ。
【００１４】
さらに、回転子コイル２２の幅寸法をＷ３とする。
そして、１つの通風流路２２ａの幅寸法をＷ４とする。
そして、
０．０２５≦Ｗ４／Ｗ３≦０．０８  ・・・（式２）
の関係が成り立つように形成されている。
【００１５】
さらに、最適には、
０．０２５≦Ｗ４／Ｗ３≦０．０５  ・・・（式３）
関係が成り立つように形成されている。
【００１６】
この発明は、回転子コイル２２の通風流路２２ａの形状を最適な形状にて形成することにより、冷却性能をより向上させ、最適な回転電機１を提供するものである。上記のように構成された実施の形態１の回転電機１の通風流路２２ａが形成された根拠について説明する。上記に示したよう回転子コイル２２の幅方向Ｄに２列に通風流路２２ａが並んで形成されている回転子コイル２２は、通風流路２２ａの形状が回転子コイル２２の温度を大きく左右する。
【００１７】  回転子温度解析モデルを作成することで回転子コイル温度を正確に計算することが可能になった。そこで、回転子２の温度解析モデルを用いて、通風流路２２ａが２列の場合の形状による温度を比較した結果を図４に示す。この図４は、回転子コイル２２の幅寸法Ｗ３に対する通風流路２２ａの幅寸法Ｗ４を横軸に、回転子コイル２２の温度上昇を縦軸にして、これらの関係について示している。また、通風流路２２ａの幅寸法Ｗ１と、通風流路２２ａから隣接する他通風流路２２ａの一端までの幅寸法Ｗ２との関係、Ｗ１／Ｗ２＝ηの値が、０．３、０．５、０．７の条件での結果を示している。これらηの値を用いたのは、一般的に通風流路２２ａの幅寸法Ｗ１は、η＝０．３〜０．７までの範囲で形成されていることが多いためである。
【００１８】  これらの条件での結果から、設定したηの値がいずれであっても、Ｗ４／Ｗ３の値が０．０２５から０．０８の範囲Ｔ１、すなわち、η＝０．７において温度上昇が極小となる値（０．０２５）から、η＝０．３〜０．７においての温度上昇における交差点の値（０．０８）までであれば、冷却効果の高い条件であることが判明した。さらに、最適な条件としては、η＝０．７において温度上昇が極小となる値（０．０２５）から、η＝０．３において温度上昇が極小となる値（０．０５）まで、Ｗ４／Ｗ３の値が０．０２５から０．０５の範囲Ｔ２が冷却効果が最適条件であることが判明した。
【００１９】
上記のように構成された実施の形態１の回転電機によれば、通風流路の形状を冷却効果に優れた形状にて形成しているため、回転電機の冷却を効率よく行うことができる。また、効率よく冷却することによって回転子コイルに流す界磁電流を大きくすることができるため回転電機の出力アップが可能になる。
【００２０】
尚、本願発明は、冷却器の構成および冷却ガスの種類などに依存するものではなく、冷却器４が設置されていない場合であっても、同様に行い、同様の効果を奏することができる。また、冷却ガス５は、空気、また冷媒としての空気以外のガスのいずれであってもよく、同様に行うことができ、同様の効果を奏することができる。
【００２１】
尚、本発明は、その発明の範囲内において、実施の形態を適宜、変形、省略することが可能である。
【図１】
0006029689.tif 000002
【図２】
0006029689.tif 000003
【図３】
0006029689.tif 000004
【図４】
0006029689.tif 000005